(57)【要約】【課題】画像再生にかかる基本機能を低コストに提供でき、さらに、オプションユニットの追加で順次複合機能に容易に拡張できること。【解決手段】ベースエンジン１００にはプロセスコントローラ１０２、ビデオ制御部１０５、Ｉ／Ｏ制御部１０６、メモリー・モジュール１０７などが設けられる。このベースエンジン１００には、画像再生の基本機能である複写機を構成する操作部１１０と、センサー・ボード・ユニット１１１、書き込み制御部１１２、周辺機１１３などがユニット接続される。機能拡張時には、パラレルバス１２０を介してコントローラボードが接続され、このコントローラボードに対し各種機能別のアプリケーションがアドインされる。機能拡張時、操作部１１０とメモリー・モジュール１０７は、ベースエンジン１００側からコントローラボード側に配置変更して用いることができる。【選択図】　　　図１
2004007485.tif 000002
【特許請求の範囲】
【請求項１】
原稿の読み取りなどで入力された画像データを再生出力する画像複写機能を基本機能とした画像再生装置において、
所望する拡張機能を利用する際に複数のオプションユニットを追加するためのコントローラボードが接続可能であり、該コントローラボードを用いた拡張機能時に、前記基本機能における操作形態および画像データの入出力形態を共通して使用可能にする拡張制御手段を備えたことを特徴とする画像再生装置。
【請求項２】
原稿の読み取りなどで入力された画像データを再生出力する画像複写機能を基本機能とした画像再生装置において、
所望する拡張機能を利用可能にするために、複数のオプションユニットが追加可能であり、前記基本機能のシステムに接続可能なコントローラボードと、
前記コントローラボードを用いた拡張機能時に、前記基本機能における操作形態および画像データの入出力形態を共通して使用可能にする拡張機能制御手段を備えたことを特徴とする画像再生装置。
【請求項３】
前記基本機能のシステムに対し、前記コントローラボードは、汎用バスを介して接続可能なことを特徴とする請求項２に記載の画像再生装置。
【請求項４】
前記基本機能のシステムは、
装置を操作するための操作手段と、
原稿を読み取り画像データを出力する原稿読み取り手段と、
複写のための駆動機構やセンサーなどの入出力を監視／制御する入出力制御手段と、
前記読み取った画像データに対し再生出力に必要な所定の処理を施すビデオ制御手段と、
前記ビデオ制御手段で処理後の画像データを蓄積する画像蓄積手段と、
前記複写機能を実行するために各部を動作制御するプロセス制御手段と、
画像データを転写紙上に再生出力する作像手段とにより構成されたことを特徴とする請求項１または２に記載の画像再生装置。
【請求項５】
前記ビデオ制御手段は、
読み取られた画像データの再生出力に必要な画像処理を施す画像処理手段と、
前記画像データを前記画像蓄積手段に書き込みおよび読み出すためのメモリー制御手段と、
前記画像データを前記作像手段に出力制御するための書き込み画像処理手段と、
を具備することを特徴とする請求項４に記載の画像再生装置。
【請求項６】
前記ビデオ制御手段は、
基本機能と拡張機能のシステム構成時で、画像データの経路を切り替えるバス制御手段と、
画像データとコマンドデータを混在させてバス経路を制御する手段を具備することを特徴とする請求項４または５に記載の画像再生装置。
【請求項７】
前記コントローラボードには、
前記基本機能のシステムで使用した画像蓄積手段が装着可能であり、該コントローラボード側で画像データの蓄積をおこなうことを特徴とする請求項２〜６のいずれか一つに記載の画像再生装置。
【請求項８】
前記操作手段は、
前記基本機能および拡張機能のシステム構成時に共通して使用可能なオプションユニットとして用いられ、拡張機能のシステム構成時には、前記コントローラボードに接続されることを特徴とする請求項４〜７のいずれか一つに記載の画像再生装置。
【請求項９】
前記操作手段は、
拡張機能のシステム構成時には、必要な機能に対応した手段を追加搭載可能に構成されていることを特徴とする請求項８に記載の画像再生装置。
【請求項１０】
前記拡張機能制御手段は、
前記拡張機能時におけるシステム制御をおこなうシステム制御手段と、
前記機能拡張時におけるシステムのリソースを調停するリソース利用調停制御手段と、
を具備することを特徴とする請求項１〜９のいずれか一つに記載の画像再生装置。
【請求項１１】
前記リソース利用調停制御手段は、
拡張機能である複数のアプリケーションを実行するオプションユニットを接続するためのインターフェースと、
前記複数のオプションユニットによる前記画像蓄積手段に対する画像データのアクセスを制御するアクセス制御手段と、
を具備することを特徴とする請求項１０に記載の画像再生装置。
【請求項１２】
基本機能と拡張機能のシステム構成時で、システム制御およびプロセス制御を異なる手段で実行するよう切り替える手段を備えたことを特徴とする請求項１〜１１のいずれか一つに記載の画像再生装置。
【請求項１３】
システムの待機状態の際に、基本機能と拡張機能のシステム構成時別にそれぞれ選択された手段を機能停止させる機能停止手段を具備することを特徴とする請求項１〜１２のいずれか一つに記載の画像再生装置。
【発明の詳細な説明】
【０００１】
【発明の属する技術分野】
この発明は、画像データを転写紙に画像として再生する装置、たとえばスキャナーから画像を読み込んで転写紙に画像を再生する装置において、拡張機能を追加してディジタル複合機を得ることができる画像再生装置に関する。
【０００２】
【従来の技術】
コピー、ＦＡＸ、プリンター、スキャナーなどの機能を複合したディジタル複合機などにおいては、複合機能でのメモリーの有効活用、拡張ユニットを含めた制御機構の共有化をおこない、リソースの有効利用を実現する画像処理装置が提案されている（たとえば、下記特許文献１参照。）。この画像処理装置は、複数のアプリケーションでのリソース共有がおこなえる構成である。
【０００３】
図１４は、従来の画像処理装置の全体構成を示すブロック図である。以下、各部の構成を説明する。原稿を光学的に読み取る読み取りユニット１４０１は、原稿に対するランプ照射の反射光をミラーおよびレンズにより受光素子に集光する。受光素子（本実施例ではＣＣＤを例とする）はセンサー・ボード・ユニット１４０２に搭載され、ＣＣＤにおいて電気信号に変換された画像データをディジタル信号に変換した後、センサー・ボード・ユニット１４０２から出力される。
【０００４】
センサー・ボード・ユニット１４０２から出力される画像データは、画像データ制御部１４０３に入力される。機能デバイスおよびデータバス間における画像データの伝送は、画像データ制御部１４０３がすべて制御する。画像データ制御部１４０３は、画像データに関し、センサー・ボード・ユニット１４０２、パラレルバス１４２０、画像処理プロセッサー１４０４間のデータ転送、この装置の全体制御を司るシステムコントローラ１４３１、画像データに対するプロセスコントローラ１４１１間、の通信をおこなう。
【０００５】
センサー・ボード・ユニット１４０２からの画像データは、画像データ制御部１４０３を経由して画像処理プロセッサー１４０４に転送され、光学系およびディジタル信号への量子化に伴う信号劣化（スキャナー系の信号劣化）を補正し、再度画像データ制御部１４０３へ出力される。
【０００６】
次に、原稿の読み取り画像をメモリーに蓄積して再利用するジョブと、メモリーに蓄積しないジョブとがあり、それぞれの場合について説明する。メモリーに蓄積する例としては、１枚の原稿を複数枚複写する場合、読み取りユニット１４０１を１回だけ動作させ、メモリーに蓄積し、蓄積データを複数回読み出す使い方がある。メモリーを使わない例としては、１枚の原稿を１枚だけ複写する場合、読み取り画像をそのまま再生すればよいので、メモリーアクセスをおこなう必要はない。
【０００７】
まず、メモリーを使わない場合、画像処理プロセッサー１４０４から画像データ制御部１４０３へ転送されたデータは、再度画像データ制御部１４０３から画像処理プロセッサー１４０４へ戻される。画像処理プロセッサー１４０４においてＣＣＤによる輝度データを面積階調に変換するための画質処理をおこなう。画質処理後の画像データは、画像処理プロセッサー１４０４からビデオ・データ制御部１４０５に転送され、面積階調に変換された信号に対し、ドット配置に関する後処理およびドットを再現するためのパルス制御をおこない、作像ユニット１４０６において転写紙上に再生画像を形成する。
【０００８】
メモリーに蓄積し画像読み出し時に付加的な処理、たとえば画像方向の回転、画像の合成などをおこなう場合の画像データの流れを説明する。画像処理プロセッサー１４０４から画像データ制御部１４０３へ転送されたデータは、画像データ制御部１４０３からパラレルバス１４２０を経由して画像メモリー・アクセス制御部１４２１に送られる。ここではシステムコントローラ１４３１の制御に基づき画像データとメモリー・モジュール１４２２のアクセス制御、外部ＰＣ（パソコン）１４２３のプリント用データの展開、メモリー有効活用のための画像データの圧縮／伸張をおこなう。
【０００９】
画像メモリー・アクセス制御部１４２１へ送られたデータは、データ圧縮後にメモリー・モジュール１４２２へ蓄積され、蓄積データを必要に応じて読み出す。読み出しデータは、伸張して本来の画像データに戻し、画像メモリー・アクセス制御部１４２１からパラレルバス１４２０経由で画像データ制御部１４０３へ戻される。画像データ制御部１４０３から画像処理プロセッサー１４０４への転送後は、画質処理およびビデオ・データ制御部１４０５でのパルス制御をおこない、作像ユニット１４０６において転写紙上に再生画像を形成する。
【００１０】
画像データの流れにおいて、パラレルバス１４２０および画像データ制御部１４０３でのバス制御により、ディジタル複合機の機能を実現する。ＦＡＸ送信機能は、読み取り画像データを画像処理プロセッサー１４０４にて画像処理を実施し、画像データ制御部１４０３およびパラレルバス１４２０を経由してファクシミリ制御ユニット１４２４へ転送する。ファクシミリ制御ユニット１４２４にて通信網へのデータ変換をおこない、公衆回線１４２５へＦＡＸデータとして送信する。
【００１１】
ＦＡＸ受信は、公衆回線１４２５からの回線データをファクシミリ制御ユニット１４２４にて画像データへ変換し、パラレルバス１４２０および画像データ制御部１４０３を経由して画像処理プロセッサー１４０４へ転送される。この場合、特別な画質処理はおこなわず、ビデオ・データ制御部１４０５においてドット再配置およびパルス制御をおこない、作像ユニット１４０６において転写紙上に再生画像を形成する。
【００１２】
複数ジョブ、たとえばコピー機能、ＦＡＸ送受信機能、プリンター出力機能が並行動作する状況において、読み取りユニット１４０１、作像ユニット１４０６およびパラレルバス１４２０使用権のジョブへの割り振りをシステムコントローラ１４３１およびプロセスコントローラ１４１１にて制御する。プロセスコントローラ１４１１は、画像データの流れを制御し、システムコントローラ１４３１は、システム全体を制御し、各リソースの起動を管理する。
【００１３】
ディジタル複合機の機能選択は、操作パネル１４３４にて選択入力し、コピー機能、ＦＡＸ機能などの処理内容を設定する。システムコントローラ１４３１とプロセスコントローラ１４１１は、パラレルバス１４２０、画像データ制御部１４０３、およびシリアルバス１４１０を介して相互に通信をおこなう。画像データ制御部１４０３内においてパラレルバス１４２０とシリアルバス１４１０とのデータインターフェースのためのデータフォーマット変換をおこなう。
【００１４】
画像再生装置のメカ駆動、各種センサーの入出力制御は、Ｉ／Ｏ制御部１４４０のポートで検出、制御される。信号検出および駆動は、プロセスコントローラ１４１１が制御し、割り込み処理により、センサーの出力を監視する。
【００１５】
【特許文献１】
特開２０００−３１６０６３号公報
【００１６】
【発明が解決しようとする課題】
しかしながら、上記従来の発明における構成は、ディジタル複合機の機能を前提としてリソースを共有する構成であるため、基本機能である画像再生（複写機能）のみを提供しようとする場合には不要な構成が付加されることとなり、コストが増大し、また余分な電力消費が生じていた。
【００１７】
この発明は、上述した従来技術による問題点を解消するため、画像再生にかかる基本機能を低コストに提供でき、さらに、オプションユニットの追加で順次複合機能に容易に拡張できる画像再生装置を提供することを目的とする。
【００１８】
【課題を解決するための手段】
上述した課題を解決し、目的を達成するため、請求項１の発明にかかる画像再生装置は、原稿の読み取りなどで入力された画像データを再生出力する画像複写機能を基本機能とした画像再生装置において、所望する拡張機能を利用する際に複数のオプションユニットを追加するためのコントローラボードが接続可能であり、該コントローラボードを用いた拡張機能時に、前記基本機能における操作形態および画像データの入出力形態を共通して使用可能にする拡張制御手段を備えたことを特徴とする。
【００１９】
この請求項１の発明によれば、画像再生の基本機能を低コストで提供できるようになる。加えて、オプションユニットの追加により機能を容易に拡張でき、この場合でも操作形態および画像データの入出力形態を維持でき操作性と処理効率の向上を図ることができる。
【００２０】
また、請求項２の発明にかかる画像再生装置は、原稿の読み取りなどで入力された画像データを再生出力する画像複写機能を基本機能とした画像再生装置において、所望する拡張機能を利用可能にするために、複数のオプションユニットが追加可能であり、前記基本機能のシステムに接続可能なコントローラボードと、前記コントローラボードを用いた拡張機能時に、前記基本機能における操作形態および画像データの入出力形態を共通して使用可能にする拡張機能制御手段を備えたことを特徴とする。
【００２１】
この請求項２の発明によれば、画像再生の基本機能を低コストで提供できるようになる。加えて、オプションユニットの追加だけで機能を容易に拡張でき、この場合でも操作形態および画像データの入出力形態を維持でき操作性と処理効率の向上を図ることができる。
【００２２】
また、請求項３の発明にかかる画像再生装置は、請求項２に記載の発明において、前記基本機能のシステムに対し、前記コントローラボードは、汎用バスを介して接続可能なことを特徴とする。
【００２３】
この請求項３の発明によれば、汎用バスを用いて基本機能のシステムにコントローラボードを容易に拡張接続することができる。
【００２４】
また、請求項４の発明にかかる画像再生装置は、請求項１または２に記載の発明において、前記基本機能のシステムは、装置を操作するための操作手段と、原稿を読み取り画像データを出力する原稿読み取り手段と、複写のための駆動機構やセンサーなどの入出力を監視／制御する入出力制御手段と、前記読み取った画像データに対し再生出力に必要な所定の処理を施すビデオ制御手段と、前記ビデオ制御手段で処理後の画像データを蓄積する画像蓄積手段と、前記複写機能を実行するために各部を動作制御するプロセス制御手段と、画像データを転写紙上に再生出力する作像手段とにより構成されたことを特徴とする。
【００２５】
この請求項４の発明によれば、画像再生にかかる基本機能の構成を提供でき、簡単な構成で原稿の複写画像を得ることができるようになる。また、基本機能で画像データの蓄積ができるため、作像手段での画像再生不良が発生した場合などに対応でき、再度の画像再生が可能となる。
【００２６】
また、請求項５の発明にかかる画像再生装置は、請求項４に記載の発明において、前記ビデオ制御手段は、読み取られた画像データの再生出力に必要な画像処理を施す画像処理手段と、前記画像データを前記画像蓄積手段に書き込みおよび読み出すためのメモリー制御手段と、前記画像データを前記作像手段に出力制御するための書き込み画像処理手段と、を具備することを特徴とする。
【００２７】
この請求項５の発明によれば、装置を基本機能で構成した場合においても、画像再生の品質および操作性の向上を図ることができる。
【００２８】
また、請求項６の発明にかかる画像再生装置は、請求項４または５に記載の発明において、前記ビデオ制御手段は、基本機能と拡張機能のシステム構成時で、画像データの経路を切り替えるバス制御手段と、画像データとコマンドデータを混在させてバス経路を制御する手段を具備することを特徴とする。
【００２９】
この請求項６の発明によれば、機能拡張前後におけるデータの流れを効率的に切り替えることができ、機能拡張時においても、装置の各部を有効かつ効率的に使用することができ、拡張にかかるコストを低減化しつつ操作性の容易化を図ることができる。
【００３０】
また、請求項７の発明にかかる画像再生装置は、請求項２〜６のいずれか一つに記載の発明において、前記コントローラボードには、前記基本機能のシステムで使用した画像蓄積手段が装着可能であり、該コントローラボード側で画像データの蓄積をおこなうことを特徴とする。
【００３１】
この請求項７の発明によれば、機能拡張前の基本機能時および機能拡張後の複合機のいずれの構成であっても同様に、画像データの蓄積を効率的におこなえ、リソースの有効活用を図ることができる。
【００３２】
また、請求項８の発明にかかる画像再生装置は、請求項４〜７のいずれか一つに記載の発明において、前記操作手段は、前記基本機能および拡張機能のシステム構成時に共通して使用可能なオプションユニットとして用いられ、拡張機能のシステム構成時には、前記コントローラボードに接続されることを特徴とする。
【００３３】
この請求項８の発明によれば、リソースの有効活用が図れるとともに、拡張前後における操作性を維持でき、機能拡張を簡単かつ容易におこなえるようになる。
【００３４】
また、請求項９の発明にかかる画像再生装置は、請求項８に記載の発明において、前記操作手段は、拡張機能のシステム構成時には、必要な機能に対応した手段を追加搭載可能に構成されていることを特徴とする。
【００３５】
この請求項９の発明によれば、機能拡張前後において装置をできるだけ共通して操作できるようになるとともに、機能拡張時のみ必要な手段を低コストに追加できるようになる。
【００３６】
また、請求項１０の発明にかかる画像再生装置は、請求項１〜９のいずれか一つに記載の発明において、前記拡張機能制御手段は、前記拡張機能時におけるシステム制御をおこなうシステム制御手段と、前記機能拡張時におけるシステムのリソースを調停するリソース利用調停制御手段とを具備することを特徴とする。
【００３７】
この請求項１０の発明によれば、機能拡張による複合機としての構成時において複数のジョブ、リソースの調停を図ることができ、機能拡張時の処理効率の向上を図ることができる。
【００３８】
また、請求項１１の発明にかかる画像再生装置は、請求項１０に記載の発明において、前記リソース利用調停制御手段は、拡張機能である複数のアプリケーションを実行するオプションユニットを接続するためのインターフェースと、前記複数のオプションユニットによる前記画像蓄積手段に対する画像データのアクセスを制御するアクセス制御手段と、を具備することを特徴とする。
【００３９】
この請求項１１の発明によれば、機能拡張をオプションユニットの接続で容易におこなえ、必要とする機能は対応するオプションユニットの追加で容易に得ることができ、また、機能拡張時において蓄積された画像データを各オプションユニットで有効活用できるようになる。
【００４０】
また、請求項１２の発明にかかる画像再生装置は、請求項１〜１１のいずれか一つに記載の発明において、基本機能と拡張機能のシステム構成時で、システム制御およびプロセス制御を異なる手段で実行するよう切り替える手段を備えたことを特徴とする。
【００４１】
この請求項１２の発明によれば、機能拡張時においては、複合機として適切かつ効率的なシステム制御およびプロセス制御がおこなえるようになり、機能拡張前後のいずれにおいても効率的なシステム運用が図れる。
【００４２】
また、請求項１３の発明にかかる画像再生装置は、請求項１〜１２のいずれか一つに記載の発明において、システムの待機状態の際に、基本機能と拡張機能のシステム構成時別にそれぞれ選択された手段を機能停止させる機能停止手段を具備することを特徴とする。
【００４３】
この請求項１３の発明によれば、機能拡張前後のいずれにおいても、システム待機を効果的に実行して消費電力の低減化を図ることができるとともに、迅速な復帰が図れるようになる。
【００４４】
【発明の実施の形態】
以下に添付図面を参照して、この発明にかかる画像再生装置の好適な実施の形態を詳細に説明する。
【００４５】
図１は、この発明の本実施形態にかかる画像再生装置を複写機に必要な基本機能で構成した場合のブロック図である。図２は、この発明の本実施形態にかかる画像再生装置を機能拡張しディジタル複合機として構成した場合のブロック図である。図２の構成により従来（図１４参照）のディジタル複合機と同等の機能を得ることができる。
【００４６】
図１を用いて複写機の基本構成を説明する。このユニット構成であれば、基本的な複写機能は提供でき、ＦＡＸやプリンター、ネットワーク接続などのディジタル複合機が有する複合機能は提供されない。しかしながら、拡張のためのＩ／Ｆの端子は構成要素に含んでいるので、容易にディジタル複合機に拡張できる（詳細は後述する）。
【００４７】
ベースエンジン１００は、画像データ制御機能を有している。このベースエンジン１００には、ローカルなＣＰＵバス１０１を設け、プロセスコントローラ１０２の制御で各部が動作制御される。動作の指示はＲＯＭ１０３に格納され、処理時のワークデータはＲＡＭ１０４に格納される。ビデオ制御部１０５は、画像データの処理、フロー制御をおこなう。Ｉ／Ｏ制御部１０６は、各駆動系、センサーなどの入出力を監視／制御する。これら各部はＣＰＵバス１０１で接続されている。画像蓄積用のメモリー・モジュール１０７は、ビデオ制御部１０５によりアクセス制御される。
【００４８】
ベースエンジン１００には、複数の基本ユニットが接続される。これら基本ユニットは、操作部１１０，画像読み取り部であるセンサー・ボード・ユニット１１１，書き込み制御部１１２，給紙系／排紙系の周辺機１１３，スキャナー駆動機構１１４，プロッター駆動機構１１５からなる。
【００４９】
操作部１１０は、ビデオ制御部１０５に設けられるＣＰＵ周辺制御部（図３参照）によりシリアルポート経由でプロセスコントローラ１０２と接続されている。ビデオ制御部１０５は、基本動作内容を操作部１１０へ表示させ、操作部１１０の操作入力をプロセスコントローラ１０２に出力する。プロセスコントローラ１０２は、入力指示に基づき、各機能ユニットに対し、Ｉ／Ｏ制御部１０６を経由して監視／制御をおこなう。
【００５０】
複写（コピー）動作の場合、プロセスコントローラ１０２は、スキャナー駆動機構１１４を動作させ、センサー・ボード・ユニット１１１にて原稿を光学的に読み取り、ディジタル化された画像データをビデオ制御部１０５に転送する。ビデオ制御部１０５は、画像データに対し所定の画像処理を施し、メモリー・モジュール１０７に画像データを蓄積する。この際、画像データは、複数枚コピー、１枚コピーのいずれの場合であっても必ずメモリー・モジュール１０７に蓄積され、プロッター駆動機構１１５における転写紙ジャム発生時の対応のためのデータバックアップを施すようになっている。
【００５１】
メモリー・モジュール１０７から読み出された画像データは、ビデオ制御部１０５が有する書き込み画像処理機能によりスムージング処理やＰＷＭ変調処理をおこない、書き込み制御部１１２に転送され、書き込みのためのレーザダイオード（ＬＤ）を発光駆動させ、同時にプロッター駆動機構１１５を動作させて転写紙上に画像を作像する。
【００５２】
上記処理によって原稿のコピーを得ることができる。この際、周辺機１１３は、転写紙の給紙，排紙、およびステープルなどの後処理をおこなう。ところで、上記説明したベースエンジン１００は、パラレルバス１２０に接続されるパラレルバスＩ／Ｆ（後述する）を搭載している。この機能は、上記説明した複写機などの基本機能では必要とせず、後述する機能拡張時に用いられる。
【００５３】
図１に示した基本機能での構成時においては、ベースエンジン１００に画像データの蓄積用のメモリー・モジュール１０７が設けられ、画像回転、電子ソート、履歴出力といった、ディジタル複写機で必要とされる基本必須機能に制約を与えることなく、動作機能を提供できる。また、このベースエンジン１００のメモリー・モジュール１０７は、ＤＩＭＭなどのユニット化されたものであり、不要な場合は取り外し、コントローラボード（図２参照）２０１用のメモリーとして用いることができ、ハードウェア資源を無駄にすることなく有効活用できるようになっている。
【００５４】
次に、図２を用いて拡張機能によるディジタル複合機を構成した場合を説明する。図１を用いて説明したベースエンジン１００を基本として拡張機能を追加する構成となる。このベースエンジン１００のパラレルバス１２０には、マザーボード機構としてのコントローラボード２０１を接続させる。コントローラボード２０１には、ディジタル複合機全体を監視、制御するシステムコントローラ２０２と、各アプリケーション機能が共有するリソースの使用時に使用権限を調整する調停制御部２０３と、メモリー・モジュール１０７、および機能拡張用に各機能別にユニット化された複数のオプションユニットを接続するための端子を備えている。オプションユニットは、拡張が容易なようにそれぞれ独立して接続順序を問わず接続できる。
【００５５】
操作部１１０は、このコントローラボード２０１に接続される。操作部１１０は、複数のアプリケーションＡＰＬ（ＡＰＬ１〜５）が使用するリソース対象となるので、調停制御部２０３を経由して、システムコントローラ２０２が監視、制御する。このような拡張機能の構成時には、図１に記載した基本機能の構成時と比べて提供される機能、構成状態が異なる。
【００５６】
プロセスコントローラ１０２が支配する基本機能のベースエンジン１００にコントローラボード２０１を付加し、複数のアプリケーションＡＰＬを増設することでディジタル複合機の機能が提供される。この複合機能の制御は、システムコントローラ２０２がおこなう。
【００５７】
複合機能時におけるベースエンジン１００の動作は、図１と基本的に同じであるが、システムコントローラ２０２とプロセスコントローラ１０２がパラレルバス１２０を介して交信し、リソース配分をおこなう。また、図２に記載のディジタル複合機を構成した場合には、ベースエンジン１００上のメモリー・モジュール１０７は取り外し、コントローラボード２０１側で用い（既設分に対する増設を含む）、複数のアプリケーションＡＰＬのリソースとして提供する。
【００５８】
たとえば、アプリケーションＡＰＬ（ＡＰＬ１〜ＡＰＬ５）としては、ＦＡＸ機能、プリンター機能、ネットワーク機能、スキャナー機能、ローカルストレージ機能（ＬＳ）、文書蓄積機能、文書配信機能などがある。コピー機能もこれら複数のアプリケーションＡＰＬの中の一機能として位置付けられる。
【００５９】
調停制御部２０３は、ネットワーク制御、メモリー・モジュール１０７のアクセス制御を調停し、リソースを各アプリケーションＡＰＬに配分する。複合機能の同時動作時においても、システムコントローラ２０２とプロセスコントローラ１０２は、ベースエンジン１００のリソース占有権をスキャナーリソース（読み取り機能）とプロッターリソース（印刷機能）に分割してマッピングする。そして、基本機能のベースエンジン１００に対する拡張機能のアドオンにより追加された機能を、システムコントローラ２０２が管理し、ディジタル複合機を構成した際における複数機能の負荷分散をおこなう。
【００６０】
図３は、ベースエンジン１００に設けられるビデオ制御部１０５の構成を示すブロック図である。センサー・ボード・ユニット１１１からの画像データは、読み取り画像処理部３０１にて補正処理（たとえば、シェーディング補正、ＭＴＦ補正、濃度変換、階調処理、変倍処理など）をおこなう。高速なハードウェアであっても、プログラマブルなプロセッサーであっても、機能実現のための手段として同様に用いることができる。
【００６１】
バス制御部３０２ではデータフローを制御する。パラレルバスＩ／Ｆ３０３への入出力制御、データ変換部３０４へのパス切り替え、書き込み画像処理部３０５へのパス選択などを、プロセスコントローラ１０２の制御に基づき動作を選択する。書き込み画像処理部３０５は、入力信号を書き込み制御部１１２へ出力する際に、この入力信号を書き込み制御部１１２が駆動する信号への変換と、画質処理（たとえば、ジャギ補正、密度変換、ＰＷＭ変調、画像のトリム処理など）をおこなう。書き込み制御部１１２に対しては、変調信号を転送し、ＬＤドライバ（不図示）によりレーザダイオード（ＬＤ）を駆動し潜像を作成する。
【００６２】
データ変換部３０４は、画像データとコマンドデータを分離し、コマンドデータはＣＰＵ周辺制御部３０６を介してＣＰＵ機能のプロセスコントローラ１０２へ転送する。コマンドのやり取りは、ディジタル複合機拡張時、システムコントローラ２０２との間で実施する。
【００６３】
画像データは、メモリー・モジュール１０７への蓄積のために、データ圧縮部３０７で符号化し、メモリーアクセス制御部３０８でメモリー・モジュール１０７に格納する。メモリー・モジュール１０７からのデータ読み出しは、同様にメモリーアクセス制御部３０８でメモリー・モジュール１０７の所定番地のコードデータを取り出し、データ伸張部３０９で画像データに変換する。画像回転は、一度復号化した画像をコード化せずに再度、メモリー・モジュール１０７のワーク領域に退避させた後、読み出しアドレスを変更することにより回転後の画像を得る。
【００６４】
図４は、コントローラボード２０１に設けられる調停制御部２０３の構成を示すブロック図である。システムＩ／Ｆ４０１は、システムコントローラ２０２との間の命令、データの送受信をおこなう。基本的には、システムコントローラ２０２が装置全体を制御し、メモリーの資源配分もシステムコントローラ２０２が管理する。他のユニットの制御は、システムＩ／Ｆ４０１〜アクセス制御部４０２〜ＤＭＡＣ（ダイレクトメモリーアクセス制御部）４０３〜パラレルバス制御部４０４〜パラレルバス１２０を介しておこなう。
【００６５】
画像再生装置の各ユニットは、基本的にパラレルバス１２０に接続されており、パラレルバス制御部４０４は、バス占有の制御をおこなうことでシステムコントローラ２０２，メモリー・モジュール１０７へのデータ送受信を管理する。ネットワーク制御部４０５は、ＬＡＮ（ローカルエリアネットワーク）４０６との接続を制御し、ネットワークに繋がる外部拡張機器とのデータ送受信を管理する。ネットワーク上の接続機器に対しシステムコントローラ２０２は、動作管理などの関与をおこなわないが、調停制御部２０３のインターフェースに関しては、システムコントローラ２０２が制御をおこなう。
【００６６】
シリアルバス４０７との接続は、シリアルポート制御部４０８が複数のシリアルポート４０９を制御してインターフェース接続される。各種バスの種類分のポート制御機構を有し、たとえば、ＵＳＢ，ＩＥＥＥ１２８４に対するポート制御をおこなう。また、外部に対するシリアルポート４０９とは別に、操作部１１０とのコマンド受け付け、表示に関するデータ送受信を制御する。
【００６７】
ローカルバス制御部４１０は、システムコントローラ２０２を起動させるために必要なＲＡＭ、ＲＯＭおよびプリンターコードデータを展開するフォントＲＯＭがバス接続されているローカルシリアルバス４１１とのインターフェース接続をおこなう。メモリー・モジュール１０７に対しては、メモリー制御部４１２を介しインターフェース接続される。
【００６８】
この調停制御部２０３の動作制御は、システムコントローラ２０２によりシステムＩ／Ｆ４０１を介するコマンド制御でおこなわれる。また、データ制御は、メモリー・モジュール１０７を中心として、外部ユニットからのメモリーアクセスを管理する。ベースエンジン１００から入力される画像データは、パラレルバス１２０から転送され、パラレルバス制御部４０４で調停制御部２０３内に取り込まれ、ＤＭＡＣ４０３によりシステムコントローラ２０２の管理を離れ、メモリー・モジュール１０７に対するアクセスをシステム制御から独立しておこなえるようになっている。
【００６９】
メモリー・モジュール１０７へのアクセスは、アクセス制御部４０２で複数ユニットからのアクセス要求を調停し、メモリー制御部４１２によりメモリー・モジュール１０７のアクセス動作、データの読み出し／書き込みを制御する。ネットワーク（ＬＡＮ）４０６からメモリー・モジュール１０７に対するアクセスについても、ネットワーク制御部４０５を介して調停制御部２０３内に取り込まれたデータをＤＭＡＣ４１４によりメモリー・モジュール１０７に対しアクセスをおこなう。この際、複数ジョブによるメモリー・モジュール１０７へのアクセスはアクセス制御部４０２が調停し、メモリー制御部４１２でデータの読み出し／書き込みをおこなう。
【００７０】
シリアルバス４０７からのメモリー・モジュール１０７に対するアクセスについても、シリアルポート制御部４０８によりシリアルポート４０９から調停制御部２０３内に取り込まれたデータをＤＭＡＣ４１５によりメモリー・モジュール１０７に対しアクセスをおこなう。この際、複数ジョブによるメモリー・モジュール１０７へのアクセスはアクセス制御部４０２が調停し、メモリー制御部４１２でデータの読み出し／書き込みをおこなう。
【００７１】
ネットワーク（ＬＡＮ）４０６、もしくはシリアルバス４０７を介して外部のＰＣなどから入力されるプリント出力データは、システムコントローラ２０２によりローカルシリアスバス４１１にバス接続されたフォントデータを用いて、メモリー・モジュール１０７内のメモリーエリアに展開される。
【００７２】
複数の外部ユニットとのインターフェース接続は、システムコントローラ２０２が管理し、メモリー・モジュール１０７に対するメモリーアクセスはそれぞれのＤＭＡＣ４０３，４１４，４１５が管理する。この場合、各ＤＭＡＣ４０３，４１４，４１５は、独立にデータ転送を実行するため、アクセス制御部４０２は、メモリー・モジュール１０７へのアクセスに関するジョブの衝突、各アクセス要求に対する優先付けをおこなう。
【００７３】
メモリー・モジュール１０７へのアクセスは、各ＤＭＡＣ４０３，４１４，４１５のほかに、格納データのビットマップ展開のためにシステムＩ／Ｆ４０１を介してのシステムコントローラ２０２からのアクセスも含まれる。アクセス制御部４０２によりメモリー・モジュール１０７へのアクセスが許可されたＤＭＡＣ４０３，４１４，４１５により転送されたデータ、もしくはシステムＩ／Ｆ４０１から転送されたデータは、メモリー制御部４１２を介してメモリー・モジュール１０７に対するアクセスを直接おこなう。
【００７４】
また、この調停制御部２０３には、内部でのデータ加工についてデータを圧縮あるいは伸張する圧縮／伸張部４１７、画像編集する画像編集部４１８を備えている。圧縮／伸張部４１７は、画像データ、もしくはコードデータをメモリー・モジュール１０７に有効に蓄積できるように、データの圧縮および伸張をおこなうモジュールであり、ＤＭＡＣ４２０によりメモリー・モジュール１０７とのインターフェースを制御する。一旦、メモリー・モジュール１０７に格納された画像データは、ＤＭＡＣ４２０の制御により、メモリー・モジュール１０７からメモリー制御部４１２，アクセス制御部４０２を介して圧縮／伸張部４１７に呼び出される。この圧縮／伸張部４１７は、呼び出した画像データをデータ変換後にメモリー・モジュール１０７へ戻すか、あるいは、外部にバス出力する制御をおこなう。
【００７５】
画像編集部４１８は、ＤＭＡＣ４２１でメモリー・モジュール１０７を制御し、メモリー・モジュール１０７領域内でのデータ加工（メモリー領域のクリアー、画像データの回転処理、異なる画像同士の合成など）をおこなう。編集は、メモリー上のアドレス制御でおこない処理対象のデータを変換する。圧縮後のコードデータやプリンターコードデータには適応していない。メモリー・モジュール１０７上に展開されたビットマップ画像に対して処理をおこなう。メモリー・モジュール１０７への効率的なデータ蓄積のための画像圧縮は、画像編集後のデータに対し実施する。
【００７６】
図５は、画像再生装置を基本機能（複写機）で構成した際のデータの流れを説明するための図である。この図には、図３に示すビデオ制御部１０５のブロック図を用いたデータの流れを示してある。
【００７７】
図中▲１▼は、原稿の読み取りからメモリー蓄積までの読み取りの経路、▲２▼は、メモリー読み出しから書き込み制御までの経路、▲３▼は操作時の入出力制御経路である。図に示す基本機能での構成時には、オプションユニットの接続がないため、ベースエンジン１００にコントローラボード２０１は接続されておらず、パラレルバス１２０を介したデータの送受信はおこなわれない。画像データ蓄積用のメモリーとしては、ベースエンジン１００内のメモリー・モジュール１０７が使用される。
【００７８】
▲１▼読み取り経路
センサー・ボード・ユニット１１１で光学的に読み込まれ、電気信号に変換された画像データは、読み取り画像処理部３０１で読み取りの画像処理が施される。読み取り画像処理部３０１で画像処理後の画像データは、バス制御部３０２によりデータ変換部３０４へ転送される。データ変換部３０４は、画像データに対しデータ圧縮部３０７へのパスを選択し、符号化のために画像データを転送する。
【００７９】
データ圧縮部３０７で画像データを符号化し、冗長データを圧縮した後、メモリーアクセス制御部３０８を介してメモリー・モジュール１０７の所定の格納番地に蓄積する。メモリー・モジュール１０７は、装着可能な構成であるため、用途に応じてメモリー容量を増減させることができる。メモリーアクセス制御部３０８は、メモリー・モジュール１０７の最大搭載容量をアクセスできるようにメモリー管理している。
【００８０】
▲２▼書き込み経路
メモリーアクセス制御部３０８は、メモリー・モジュール１０７内に格納されたコードデータを番地検索して読み出す。読み出されたコードデータは、データ伸張部３０９で復号化され、画像データに戻される。データ変換部３０４は、画像データをバス制御部３０２へ転送する。バス制御部３０２では、画像データを書き込みのため書き込み画像処理部３０５へ転送し、書き込み制御部１１２に設けられるＬＤドライバを駆動させるためのデータに変換する。書き込み制御部１１２では作像系での潜像作成のためにＬＤを発光させ、潜像、現像、定着のプロセスを経て転写紙上に画像を再生する。
【００８１】
この発明の実施の形態では、ＬＤドライバによる潜像作成および電子写真プロセスを例として取り上げているが、電気信号を液滴噴射のために利用し、インクジェットプロセスにて画像を再生する方式を用いる構成であってもよい。
【００８２】
▲３▼操作時の入出力経路
操作部１１０に対する操作内容の表示、操作入力の受け付けは、ＣＰＵ周辺制御部３０６を介してプロセスコントローラ１０２がおこなう。コピー機能に関する機能および保守項目を表示、入力受け付けするのみであるため、オプションユニットの拡張に係わる操作項目の管理は不要である。このため、操作部１１０の構成を基本機能の管理のためのみとした最小構成とすることもできる。たとえば、メニュー表示項目は少なくてすむので表示部は小さくてよいし、ＦＡＸ用の宛先設定ボタンなども設ける必要がなく小型のものを用いることができる。
【００８３】
図６は、画像再生装置を機能拡張（ディジタル複合機）として構成した際のデータの流れを説明するための図である。この図には、図２に示すコントローラボード２０１部分のブロック図と、図３に示すビデオ制御部１０５のブロック図を用いたデータの流れを示してある。
【００８４】
ベースエンジン１００と、コントローラボード２０１をパラレルバス１２０を介して接続し、コントローラボード２０１を拡張用マザーボードとして複数の各アプリケーション機能ＡＰＬ（ＡＰＬ１〜５）を機能追加していくことができる。ディジタル複合機の全体システム制御は、コントローラボード２０１のシステムコントローラ２０２が制御し、プロセスコントローラ１０２は、ベースエンジン１００の制御のみをおこなう形となる。
【００８５】
操作部１１０は、複写機能（コピー）に関するアプリケーションも含めてすべてのディジタル複合機の機能で利用される。システムコントローラ２０２は、描画、およびコマンド受け付け処理を管理する。画像格納用のメモリーであるメモリー・モジュール１０７はベースエンジン１００側には設けずに、共有リソースとしてコントローラボード２０１上に装着替えをする。
【００８６】
図中▲１▼は、原稿の読み取りからメモリー蓄積までの読み取りの経路、▲２▼は、メモリー読み出しから書き込み制御までの経路、▲３▼は操作時の入出力制御経路である。
【００８７】
▲１▼読み取り経路
センサー・ボード・ユニット１１１で光学的に読み込まれ、電気信号に変換された画像データは、読み取り画像処理部３０１にて読み取り時の画像処理が施される。読み取り画像処理部３０１で画像処理された後の画像データは、バス制御部３０２によりパラレルバスＩ／Ｆ３０３を介してパラレルバス１２０へ転送される。パラレルバス１２０からコントローラボード２０１側の調停制御部２０３を介してメモリー・モジュール１０７に画像データが格納される。調停制御部２０３では、内部に設けられたパラレルバス制御部４０４，アクセス制御部４０２，圧縮／伸張部４１７，メモリー制御部４１２の各モジュールにて処理し、メモリー・モジュール１０７に符号化データを蓄積する。
【００８８】
▲２▼書き込み経路
コントローラボード２０１上のメモリー・モジュール１０７に格納されたコードデータを調停制御部２０３のメモリー制御部４１２が読み出す。アクセス制御部４０２，圧縮／伸張部４１７，パラレルバス制御部４０４の各モジュールにて処理し、復号された画像データをパラレルバス１２０へ転送する。ベースエンジン１００側では、コントローラボード２０１からの画像データをパラレルバスＩ／Ｆ３０３で受信し、バス制御部３０２から画像データを書き込み画像処理のため書き込み画像処理部３０５へ転送し、ＬＤドライバを駆動させるためのデータに変換する。書き込み制御部１１２では、作像系での潜像作成のためにＬＤを発光させ、潜像、現像、定着のプロセスを経て転写紙上に画像を再生する。
【００８９】
▲３▼操作時の入出力経路
操作部１１０に対する操作内容の表示、操作入力の受け付けは、調停制御部２０３のローカルバス制御部４１０，システムＩ／Ｆ４０１を介してコントローラボード２０１上のシステムコントローラ２０２にておこなう。操作部１１０としては、複数のオプションユニットを用い拡張機能できるように、より高機能なものを用いる。たとえば、大型の表示パネル、ネットワーク上のアドレス入力機構、ＦＡＸ用宛名割り振りボタンなど、基本のユニットにオプションユニットを追加して用いる。
【００９０】
このデータフローでは、メモリー・モジュール１０７をベースエンジン１００側では利用しないので、ビデオ制御部１０５内のデータ圧縮部３０７，データ伸張部３０９，メモリーアクセス制御部３０８には画像データは転送されない。バス制御部３０２は、図５に示す基本機能の形態と、図６に示す拡張機能の形態に応じて、ビデオ制御部１０５のパラレルバスＩ／Ｆ３０３と、データ変換部３０４へのデータの送受信を選択制御する。表示およびコマンド入力についても、プロセスコントローラ１０２の介在はないため、操作部１１０からＣＰＵ周辺制御部３０６を経由するコマンド転送は実施しない。
【００９１】
図７は、画像再生装置を機能拡張（ディジタル複合機）として構成した際の他のデータの流れを説明するための図である。この図には、操作部１１０の制御をベースエンジン１００のプロセスコントローラ１０２がおこなう場合のデータの流れが記載されている。
【００９２】
図示のように、▲１▼読み込み経路と、▲２▼書き込み経路は、図６と同様であり、コントローラボード２０１上のメモリー・モジュール１０７を共有して複写（コピー）のための画像データの蓄積をおこなう。
【００９３】
▲３▼操作時の入出力経路
操作部１１０は、ディジタル複合機の共有リソースとしてコントローラボード２０１に接続され、調停制御部２０３を経由するが、この操作部１１０の制御は、ベースエンジン１００側のプロセスコントローラ１０２がおこなう。操作部１１０の構成機能は、ディジタル複合機の機能追加とともに拡張されたものを用いるが、複数のアプリケーションに対するリソース管理、システム制御をシステムコントローラ２０２が管理する。そして、操作部１１０に設けられる表示部に対する画面の描画（表示制御）については、プロセスコントローラ１０２に分担させ実行させる構成となっている。
【００９４】
調停制御部２０３は、操作部１１０に対するコマンド／描画データを、ローカルバス制御部４１０でインターフェース接続する。調停制御部２０３は、ローカルバス制御部４１０，システムＩ／Ｆ４０１，アクセス制御部４０２，パラレルバス制御部４０４の各モジュールを介し、パラレルバス１２０にコマンドデータを転送し、パラレルバス１２０から描画データを入手する。
【００９５】
パラレルバス１２０は、ベースエンジン１００と接続され、ビデオ制御部１０５内のパラレルバスＩ／Ｆ３０３とアクセスする。ビデオ制御部１０５は、パラレルバスＩ／Ｆ３０３，バス制御部３０２を介し、データ変換部３０４でコマンド／描画データをデータ変換する。このデータは、転写用の画像データではないため、データ変換部３０４は、ＣＰＵ周辺制御部３０６にコマンドデータを転送する。ＣＰＵ周辺制御部３０６は、プロセスコントローラ１０２と通信し、操作部１１０の表示および操作のコマンド解析をおこなう。
【００９６】
複数のオプションユニットが同時に動作する場合、システムコントローラ２０２の負荷が増加し、描画速度の低下を招く恐れがある。このため、プロセス制御以外にパフォーマンスに余裕が生じているプロセスコントローラ１０２は、操作部１１０での表示制御を分担して実行する。
【００９７】
以上説明したように、装置構成を基本機能で構成したとき、および機能拡張で構成したときでは、操作部１１０を構成形態（オプションユニット）が異なる。しかしながら、制御に関しては、プロセスコントローラ１０２が共通して関与すし、ベースエンジン１００側のリソースを利用しておこなう。
【００９８】
図８〜図１０には、それぞれ機能別の構成例を図示している。図８は、画像再生装置を基本機能で構成した場合のブロック図である。この場合、ベースエンジン１００のみを用い、コントローラボード２０１の接続はない。ベースエンジン１００のリソースを利用し制御することにより、複写（コピー）の基本機能を構築できる。ベースエンジン１００を中心とするセンサー・ボード・ユニット１１１，書き込み制御部１１２，操作部１１０，周辺機１１３の構成により、操作入力、画像読み取り、転写紙への画像再生、転写紙の用紙制御をプロセスコントローラ１０２の管理によりおこない、ベースエンジン１００のリソースをすべて複写機能に配分する。
【００９９】
図９は、画像再生装置を拡張機能を有して構成した場合のブロック図である。図８に示す基本機能（複写機能）に比してアプリケーション機能（ＡＰＬ）を一つ追加した場合の構成例である。この場合、ベースエンジン１００にコントローラボード２０１を接続し、コントローラボード２０１にアプリケーションＡＰＬをアドオンする。そして、コントローラボード２０１がディジタル複合機のマザーボードとして機能し、制御の中心となる。
【０１００】
そして、ベースエンジン１００が保有する基本機能は、ディジタル複合機全体の機能のうちの一つのアプリケーション（複写機能アプリケーション）となる。ベースエンジン１００部分は、コントローラボード２０１から見ればディジタル複合機の共有リソースの一つとなる。
【０１０１】
アプリケーションＡＰＬは、たとえば、ネットワークアプリケーション（ＬＡＮ接続機能）であるとすると、ＬＡＮ４０６に対して読み取った画像データの配信、ＬＡＮ４０６から配信された画像データを転写紙に再生するコピーの機能が得られる。各共有リソースは、システムコントローラ２０２の管理のもとに資源配分されて複合機能を構築する。
【０１０２】
コントローラボード２０１から見て、ネットワークアプリケーション、およびベースエンジン１００での複写機能のいずれも同等なリソースとなり、アプリケーション間でのリソース使用の優先順位は設けない。なお、ベースエンジン１００，コントローラボード２０１に対するオプションユニット、アプリケーションの装着の順序が異なってこのリソース使用についての優先順位は発生しない。あくまで、所定の時期におけるアプリケーションの接続状態に基づき最適なリソース配分がおこなわれる。
【０１０３】
図１０は、画像再生装置に拡張機能を有して構成した場合の他のブロック図である。図８に示す基本機能（複写機能）に比してアプリケーション機能（ＡＰＬ）を２つ追加した場合の構成例である。マザーボードであるコントローラボード２０１に対して複数のアプリケーションＡＰＬ（ＡＰＬ１，ＡＰＬ２）を追加する。追加の順番、組み合わせによる機能動作の優先付けは生じない。コントローラボード２０１から見て、これらアプリケーションＡＰＬ１，ＡＰＬ２，およびベースエンジン１００での複写機能のいずれも優先順位が同じ処理機能として認識する。
【０１０４】
たとえば、アプリケーションＡＰＬ１は、公衆回線に接続されるＦＡＸ機能、アプリケーションＡＰＬ２は、大容量の画像ストレージ機能ＬＳである。この場合、コントローラボード２０１上のメモリー・モジュール１０７は、一時的な作業用のデータ蓄積エリアとして使用し、画像ストレージ機能ＬＳは、長期の画像蓄積、バックアップ用途に用いる。たとえば、画像ストレージ機能ＬＳに対し、ＦＡＸ送信した画像データ、ＦＡＸ受信した画像データ、複写出力した画像データを、後ほど読み出せるようにディジタルデータとして保管させる。
【０１０５】
さらに、他のアプリケーションＡＰＬとしてネットワークアプリケーションを機能追加した際には、ネットワーク上から画像ストレージ機能ＬＳに蓄積された画像データにアクセスすることもできるようになる。このように、アプリケーションの追加により画像再生装置の機能を容易に拡張できる。
【０１０６】
次に、図１１、図１２を用いてシステム待機時の各部の状態を説明する。図１１は、画像再生装置を基本機能で構成した場合におけるシステム待機時の各部の状態を示すブロック図である。図中点線で記載した各ユニットは、システム待機時に機能停止するユニット／モジュールである。
【０１０７】
図１１に示す基本機能での構成においては、システム待機時に外部接続されたオプションからの割り込みはない。操作者が操作部１１０から入力指示をおこなうと、通常動作モードへ移行する。したがって、システム待機時は、操作部１１０と、操作部１１０を監視するプロセスコントローラ１０２，インターフェースのためのＣＰＵ周辺制御部３０６，ＣＰＵバス１０１のみが起動する。他のユニット／モジュールを動作させる必要はない。センサー・ボード・ユニット１１１や、書き込み制御部１１２なども通電状態にしておく必要はない。メモリー・モジュール１０７も動作させる必要がないので、クロックを止めるもしくは電源を遮断させた状態にできる。
【０１０８】
システム待機時に機能停止状態にあるユニットは、電源を遮断し、ビデオ制御部１０５内の各部はクロック供給を停止させる。図中点線で記載した各部モジュールは待機時、動作を停止して電力消費を抑制できる。また、ビデオ制御部１０５は、一つのチップで構成できるため、ベースエンジン１００の部品実装数を抑えることができ、複数チップでの構成時に比べて動作時も低消費電力化できる。システム待機時の機能停止制御は、個別のモジュールに対するクロック供給の停止でおこなえる。
【０１０９】
図１２は、画像再生装置を基本機能で構成した場合におけるシステム待機時の各部の状態を示すブロック図である。図１２に示す拡張機能での構成においては、操作部１１０以外のシステム起動要求が外部からも発生する。たとえば、ＦＡＸ受信、ネットワーク（ＬＡＮ）からの画像データの出力要求などがある。しかしながら、不定期な出力要求であるため、システム全体を常時起動させておくとそれだけ無駄な電力浪費が生じる。
【０１１０】
このため、システム待機時においては、起動要求を受け付ける機能のユニットのみアクティブ状態とし、それ以外のユニット、モジュールは停止させておく。ベースエンジン１００のビデオ制御部１０５では、コントローラボード２０１の情報をプロセスコントローラ１０２に伝達する経路上のモジュール（パラレルバスＩ／Ｆ３０３，バス制御部３０２，データ変換部３０４，ＣＰＵ周辺制御部３０６）は、システム待機時であっても起動状態にしておく。
【０１１１】
コントローラボード２０１では、メモリー・モジュール１０７は停止させ、調停制御部２０３内のメモリー制御部４１２に対するクロック供給を停止させる。また、コントローラボード２０１では、起動要求を検出するため、調停制御部２０３内のシステムＩ／Ｆ４０１，アクセス制御部４０２と、システム監視するシステムコントローラ２０２を起動させておく。アプリケーションＡＰＬ（ＡＰＬ１〜５）については、外部と接続するものは起動している。公衆回線、ネットワーク（ＬＡＮ）などに接続されるユニットは、起動の最小限度で必要なモジュールを起動状態にさせておき、ローカルストレージ機能ＬＳは停止させておく。
【０１１２】
図１３は、機能拡張前後における表示画面を示す図である。図１３（ａ）は、コントローラボード２０１の未接続時に操作部１１０上に表示される内容である。ベースエンジン１００による基本形態で複写操作するときの内容が表示されている。例えば、機能表示部１３００上には、複写動作内容を説明するために、動作状態、原稿枚数、セット枚数、コピー枚数等の機能項目１３０１が表示される。図１３（ｂ）は、コントローラボード２０１を接続した拡張時に操作部１１０上に表示される内容である。この機能拡張時には、操作部１１０上に、拡張された機能項目１３０２が選択可能に一覧表示される。図示の例では、ＦＡＸ、スキャナー、プリンターの機能が拡張された状態が表示される。図１３（ｃ）は、拡張時の他の表示例であり、機能項目１３０２でＦＡＸ機能を選択したときには、機能表示部１３００上には、ＦＡＸ送信時の動作内容を説明するために、ＦＡＸの動作状態、原稿セット指示、宛先入力案内等の表示画面１３０３が表示される。このように、拡張前後の表示内容が共通化され、拡張された機能を切り換えて案内することにより操作性の向上を図ることができる。
【０１１３】
上記実施の形態で説明した画像再生装置は、主にスキャナーから画像を読み込んで転写紙に画像を再生する構成を例に説明したが、これに限らず、この画像再生装置に対しパソコンからのコードデータを入力し、画像を再生出力する構成にも同様に適用できる。
【０１１４】
なお、本実施の形態で説明したシステム構成を制御する方法は、あらかじめ用意されたプログラムをパーソナル・コンピュータやワークステーションなどのコンピュータで実行することにより実現することができる。このプログラムは、ハードディスク、フロッピー（Ｒ）ディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、上記記録媒体を介して、インターネットなどのネットワークを介して配布することができる。
【０１１５】
【発明の効果】
以上説明したように、請求項１に記載の発明によれば、原稿の読み取りなどで入力された画像データを再生出力する画像複写機能を基本機能とした画像再生装置において、所望する拡張機能を利用する際に複数のオプションユニットを追加するためのコントローラボードが接続可能であり、該コントローラボードを用いた拡張機能時に、前記基本機能における操作形態および画像データの入出力形態を共通して使用可能にする拡張制御手段を備えたので、画像再生の基本機能を低コストで提供できるようになる。加えて、オプションユニットの追加により機能を容易に拡張でき、この場合でも操作形態および画像データの入出力形態を維持でき操作性と処理効率の向上を図ることができるという効果を奏する。
【０１１６】
また、請求項２に記載の発明によれば、原稿の読み取りなどで入力された画像データを再生出力する画像複写機能を基本機能とした画像再生装置において、所望する拡張機能を利用可能にするために、複数のオプションユニットが追加可能であり、前記基本機能のシステムに接続可能なコントローラボードと、前記コントローラボードを用いた拡張機能時に、前記基本機能における操作形態および画像データの入出力形態を共通して使用可能にする拡張機能制御手段を備えたので、画像再生の基本機能を低コストで提供できるようになる。加えて、オプションユニットの追加だけで機能を容易に拡張でき、この場合でも操作形態および画像データの入出力形態を維持でき操作性と処理効率の向上が図れるという効果を奏する。
【０１１７】
また、請求項３に記載の発明によれば、請求項２に記載の発明において、前記基本機能のシステムに対し、前記コントローラボードは、汎用バスを介して接続可能としたので、汎用バスを用いて基本機能のシステムにコントローラボードを容易に拡張接続することができるという効果を奏する。
【０１１８】
また、請求項４に記載の発明によれば、請求項１または２に記載の発明において、前記基本機能のシステムは、装置を操作するための操作手段と、原稿を読み取り画像データを出力する原稿読み取り手段と、複写のための駆動機構やセンサーなどの入出力を監視／制御する入出力制御手段と、前記読み取った画像データに対し再生出力に必要な所定の処理を施すビデオ制御手段と、前記ビデオ制御手段で処理後の画像データを蓄積する画像蓄積手段と、前記複写機能を実行するために各部を動作制御するプロセス制御手段と、画像データを転写紙上に再生出力する作像手段とにより構成したので、画像再生にかかる基本機能の構成を提供でき、簡単な構成で原稿の複写画像を得ることができるようになる。また、基本機能で画像データの蓄積ができるため、作像手段での画像再生不良が発生した場合などに対応でき、再度の画像再生が可能という効果を奏する。
【０１１９】
また、請求項５に記載の発明によれば、請求項４に記載の発明において、前記ビデオ制御手段は、読み取られた画像データの再生出力に必要な画像処理を施す画像処理手段と、前記画像データを前記画像蓄積手段に書き込みおよび読み出すためのメモリー制御手段と、前記画像データを前記作像手段に出力制御するための書き込み画像処理手段とを具備したので、装置を基本機能で構成した場合においても、画像再生の品質および操作性の向上を図ることができるという効果を奏する。
【０１２０】
また、請求項６に記載の発明によれば、請求項４または５に記載の発明において、前記ビデオ制御手段は、基本機能と拡張機能のシステム構成時で、画像データの経路を切り替えるバス制御手段と、画像データとコマンドデータを混在させてバス経路を制御する手段を具備したので、機能拡張前後におけるデータの流れを効率的に切り替えることができ、機能拡張時においても、装置の各部を有効かつ効率的に使用することができ、拡張にかかるコストを低減化しつつ操作性の容易化を図ることができるという効果を奏する。
【０１２１】
また、請求項７に記載の発明によれば、請求項２〜６のいずれか一つに記載の発明において、前記コントローラボードには、前記基本機能のシステムで使用した画像蓄積手段が装着可能であり、該コントローラボード側で画像データの蓄積をおこなうので、機能拡張前の基本機能時および機能拡張後の複合機のいずれの構成であっても同様に、画像データの蓄積を効率的におこなえ、リソースの有効活用を図ることができるという効果を奏する。
【０１２２】
また、請求項８に記載の発明によれば、請求項４〜７のいずれか一つに記載の発明において、前記操作手段は、前記基本機能および拡張機能のシステム構成時に共通して使用可能なオプションユニットとして用いられ、拡張機能のシステム構成時には、前記コントローラボードに接続されるので、リソースの有効活用が図れるとともに、拡張前後における操作性を維持でき、機能拡張を簡単かつ容易におこなえるという効果を奏する。
【０１２３】
また、請求項９に記載の発明によれば、請求項８に記載の発明において、前記操作手段は、拡張機能のシステム構成時には、必要な機能に対応した手段を追加搭載可能に構成したので、機能拡張前後において装置をできるだけ共通して操作できるようになるとともに、機能拡張時のみ必要な手段を低コストに追加できるという効果を奏する。
【０１２４】
また、請求項１０に記載の発明によれば、請求項１〜９のいずれか一つに記載の発明において、前記拡張機能制御手段は、前記拡張機能時におけるシステム制御をおこなうシステム制御手段と、前記機能拡張時におけるシステムのリソースを調停するリソース利用調停制御手段とを具備したので、機能拡張による複合機としての構成時において複数のジョブ、リソースの調停を図ることができ、機能拡張時の処理効率の向上を図ることができるという効果を奏する。
【０１２５】
また、請求項１１に記載の発明によれば、請求項１０に記載の発明において、前記リソース利用調停制御手段は、拡張機能である複数のアプリケーションを実行するオプションユニットを接続するためのインターフェースと、前記複数のオプションユニットによる前記画像蓄積手段に対する画像データのアクセスを制御するアクセス制御手段とを具備したので、機能拡張をオプションユニットの接続で容易におこなえ、必要とする機能は対応するオプションユニットの追加で容易に得ることができ、また、機能拡張時において蓄積された画像データを各オプションユニットで有効活用できるという効果を奏する。
【０１２６】
また、請求項１２に記載の発明によれば、請求項１〜１１のいずれか一つに記載の発明において、基本機能と拡張機能のシステム構成時で、システム制御およびプロセス制御を異なる手段で実行するよう切り替える手段を備えたので、機能拡張時においては、複合機として適切かつ効率的なシステム制御およびプロセス制御がおこなえるようになり、機能拡張前後のいずれにおいても効率的なシステム運用が図れるという効果を奏する。
【０１２７】
また、請求項１３に記載の発明によれば、請求項１〜１２のいずれか一つに記載の発明において、システムの待機状態の際に、基本機能と拡張機能のシステム構成時別にそれぞれ選択された手段を機能停止させる機能停止手段を具備したので、機能拡張前後のいずれにおいても、システム待機を効果的に実行して消費電力の低減化を図ることができるとともに、迅速な復帰が図れるという効果を奏する。
【図面の簡単な説明】
【図１】この発明の本実施形態にかかる画像再生装置を複写機に必要な基本機能で構成した場合のブロック図である。
【図２】この発明の本実施形態にかかる画像再生装置を機能拡張しディジタル複合機として構成した場合のブロック図である。
【図３】画像再生装置のベースエンジンに設けられるビデオ制御部の構成を示すブロック図である。
【図４】画像再生装置のコントローラボードに設けられる調停制御部の構成を示すブロック図である。
【図５】画像再生装置を基本機能（複写機）で構成した際のデータの流れを説明するための図である。
【図６】画像再生装置を機能拡張（ディジタル複合機）として構成した際のデータの流れを説明するための図である。
【図７】画像再生装置を機能拡張（ディジタル複合機）として構成した際の他のデータの流れを説明するための図である。
【図８】画像再生装置を基本機能で構成した場合のブロック図である。
【図９】画像再生装置を拡張機能を有して構成した場合のブロック図である。
【図１０】画像再生装置に拡張機能を有して構成した場合の他のブロック図である。
【図１１】画像再生装置を基本機能で構成した場合におけるシステム待機時の各部の状態を示すブロック図である。
【図１２】画像再生装置を基本機能で構成した場合におけるシステム待機時の各部の状態を示すブロック図である。
【図１３】画像再生装置の機能拡張前後における表示画面を示す図である。
【図１４】従来の画像処理装置の全体構成を示すブロック図である。
【符号の説明】
１００　ベースエンジン
１０１　ＣＰＵバス
１０２　プロセスコントローラ
１０３　ＲＯＭ
１０４　ＲＡＭ
１０５　ビデオ制御部
１０６　Ｉ／Ｏ制御部
１０７　メモリー・モジュール
１１０　操作部
１１１　センサー・ボード・ユニット
１１２　書き込み制御部
１１３　周辺機
１１４　スキャナー駆動機構
１１５　プロッター駆動機構
１２０　パラレルバス
２０１　コントローラボード
２０２　システムコントローラ
２０３　調停制御部
３０１　読み取り画像処理部
３０２　バス制御部
３０３　パラレルバスＩ／Ｆ
３０４　データ変換部
３０５　書き込み画像処理部
３０６　ＣＰＵ周辺制御部
３０７　データ圧縮部
３０８　メモリーアクセス制御部
３０９　データ伸張部
４０１　システムＩ／Ｆ
４０２　アクセス制御部
４０３，４１４，４１５，４２０，４２１　ＤＭＡＣ（ダイレクトメモリーアクセス制御部）
４０４　パラレルバス制御部
４０５　ネットワーク制御部
４０６　ＬＡＮ（ローカルエリアネットワーク）
４０７　シリアルバス
４０８　シリアルポート制御部
４０９　シリアルポート
４１０　ローカルバス制御部
４１２　メモリー制御部
４１７　圧縮／伸張部
４１８　画像編集部
ＡＰＬ（ＡＰＬ１〜５）　アプリケーション
【図１】
2004007485.tif 000003
【図２】
2004007485.tif 000004
【図３】
2004007485.tif 000005
【図４】
2004007485.tif 000006
【図５】
2004007485.tif 000007
【図６】
2004007485.tif 000008
【図７】
2004007485.tif 000009
【図８】
2004007485.tif 000010
【図９】
2004007485.tif 000011
【図１０】
2004007485.tif 000012
【図１１】
2004007485.tif 000013
【図１２】
2004007485.tif 000014
【図１３】
2004007485.tif 000015
【図１４】
2004007485.tif 000016